(57)【特許請求の範囲】
【請求項１】
変圧器本体と、絶縁油を冷却する水冷式冷却器と、循環ポンプを備え前記変圧器本体と前記水冷式冷却器との間を絶縁油を循環可能に接続する絶縁油循環ラインとを具備する、汽力発電プラントに備えられる変圧器の冷却方法であって、
前記汽力発電プラントは、タービンの排気蒸気を冷却し復水にする復水器、前記復水器の出口部に設けられた復水ポンプ、前記復水ポンプの出口部に設けられた復水熱交換器、及びこれらの間を送水可能に結ぶ管路を含み構成される復水系統と、
軸受冷却水ポンプを通じて水素ガスクーラ、補機等に冷却水を送り、温度の高くなった戻り冷却水を軸受冷却水冷却器で冷却し、冷却水を循環使用する軸冷系統と、を備え、
前記復水熱交換器の高温側と前記軸冷系統とが接続し、前記軸冷系統の戻り冷却水で復水が加熱可能に構成され、
前記変圧器は、前記水冷式冷却器を複数備え、複数の水冷式冷却器が前記絶縁油循環ラインに直列に配置され、上流側の前記水冷式冷却器に冷却媒体として前記復水系統の復水を送り、前記絶縁油と熱交換した復水を前記復水系統に戻し、下流側の前記水冷式冷却器に冷却媒体として前記軸冷系統の冷却水を送り、前記絶縁油と熱交換した冷却水を前記軸冷系統に戻し、前記復水熱交換器を介して復水を加熱することを特徴とする変圧器の冷却方法。
【請求項２】
前記絶縁油と熱交換した復水を前記復水ポンプの吸込側に戻すことを特徴とする請求項１に記載の変圧器の冷却方法。
【請求項３】
前記変圧器の負荷及び／又は外気温に応じて、前記上流側水冷式冷却器及び／又は前記下流側水冷式冷却器に送る冷却媒体の量を調整することを特徴とする請求項１又は２に記載の変圧器の冷却方法。
【請求項４】
前記循環ポンプを常時運転し、前記変圧器本体内を規定温度以下に維持することを特徴とする請求項１から３のいずれか１に記載の変圧器の冷却方法。
【発明の詳細な説明】
【技術分野】
【０００１】
本発明は、汽力発電プラントに備えられる変圧器の冷却方法に関する。
【背景技術】
【０００２】
発電所に備えられる主変圧器など容量の大きい変圧器には、変圧器本体に収納された鉄心及び巻線が絶縁油に浸された油入変圧器が多く使用されている。変圧器本体の外部には冷却装置が設けられ、変圧器本体と冷却装置とは管路で結ばれ油循環ラインが形成され、絶縁油は、油循環ラインの途中に設けられた油循環ポンプを介して変圧器本体と冷却装置との間を循環し、変圧器本体内の温度の高くなった絶縁油は、冷却装置で冷却された後、変圧器本体内に戻される。冷却装置は、一般的に絶縁油が流通する空冷式冷却器と空冷式冷却器に冷却用の空気を送るファンとで構成されている（例えば特許文献１参照）。
【０００３】
変圧器の冷却方法については、これまでに多くの発明がなされている（例えば特許文献２）。特許文献２に記載の変圧器の冷却方法は、消費電力を抑制しつつ絶縁油を適正な温度に冷却するために絶縁油の温度に応じて、油循環ポンプとファンとを同時に稼働させる、ファンを稼働させることなく油循環ポンプのみ稼働させ油を循環させる、油循環ポンプ及びファンを共に停止させる方法を採用している。
【先行技術文献】
【特許文献】
【０００４】
【特許文献１】特開２０００−６８１１９号公報
【特許文献２】特開２００９−２９０１０９号公報
【発明の概要】
【発明が解決しようとする課題】
【０００５】
これまで変圧器に関しては、変圧器の冷却方法、特に絶縁油の適切な冷却方法又は効率的な冷却方法の開発、改善に注目が集まっており、特許文献２以外にも多くの変圧器の冷却方法に関する発明がなされている。絶縁油の冷却は、逆方向からみれば絶縁油の保有する熱の回収と捉えることができるが、これまで絶縁油の保有する熱の回収については、殆ど着目されておらず、絶縁油の保有する熱を回収しつつ変圧器を冷却する方法、さらにはそれに使用する装置の発明は、これまでになされていない。発電所に備えられる主変圧器などでは、変圧器本体を適正な温度に維持すると共に絶縁油の保有する熱を回収し、回収した熱を発電プラントの運転に有効利用することができれば、発電プラントの熱効率が高まり好ましい。
【０００６】
本発明の目的は、汽力発電プラントに備えられる変圧器の絶縁油を適正な温度に冷却すると共に絶縁油の保有する熱を汽力発電プラントの運転に有効利用できる変圧器の冷却方法を提供することである。
【課題を解決するための手段】
【０００８】
本発明は、変圧器本体と、絶縁油を冷却する水冷式冷却器と、循環ポンプを備え前記変圧器本体と前記水冷式冷却器との間を絶縁油を循環可能に接続する絶縁油循環ラインとを具備する、汽力発電プラントに備えられる変圧器の冷却方法であって、前記汽力発電プラントは、タービンの排気蒸気を冷却し復水にする復水器、前記復水器の出口部に設けられた復水ポンプ、前記復水ポンプの出口部に設けられた復水熱交換器、及びこれらの間を送水可能に結ぶ管路を含み構成される復水系統と、軸受冷却水ポンプを通じて水素ガスクーラ、補機等に冷却水を送り、温度の高くなった戻り冷却水を軸受冷却水冷却器で冷却し、冷却水を循環使用する軸冷系統と、を備え、前記復水熱交換器の高温側と前記軸冷系統とが接続し、前記軸冷系統の戻り冷却水で復水が加熱可能に構成され、前記変圧器は、前記水冷式冷却器を複数備え、複数の水冷式冷却器が前記絶縁油循環ラインに直列に配置され、上流側の前記水冷式冷却器に冷却媒体として前記復水系統の復水を送り、前記絶縁油と熱交換した復水を前記復水系統に戻し、下流側の前記水冷式冷却器に冷却媒体として前記軸冷系統の冷却水を送り、前記絶縁油と熱交換した冷却水を前記軸冷系統に戻し、前記復水熱交換器を介して復水を加熱することを特徴とする変圧器の冷却方法である。
【００１０】
また本発明は、前記変圧器の冷却方法において、前記絶縁油と熱交換した復水を前記復水ポンプの吸込側に戻すことを特徴とする。
【００１３】
また本発明は、前記変圧器の冷却方法において、前記変圧器の負荷及び／又は外気温に応じて、前記上流側水冷式冷却器及び／又は前記下流側水冷式冷却器に送る冷却媒体の量を調整する。
【００１４】
また本発明は、前記変圧器の冷却方法において、前記循環ポンプを常時運転し、前記変圧器本体内を規定温度以下に維持することを特徴とする。
【発明の効果】
【００１６】
本発明によれば、変圧器は、水冷式冷却器を複数備え、複数の水冷式冷却器が絶縁油循環ラインに対して直列に配置され、上流側の水冷式冷却器を復水で、下流側の水冷式冷却器を軸冷系統の冷却水で冷却するので、絶縁油を適正な温度に冷却すると共に絶縁油の保有する熱を汽力発電プラントの運転に有効利用することができる。
【００１８】
また本発明によれば、絶縁油と熱交換した復水を復水ポンプの吸込側に戻すので、水冷式冷却器の低温流体側圧力を低くすることができる。この結果、水冷式冷却器の設計圧力を低くすることが可能となり好ましい。
【００２１】
また本発明によれば、変圧器の負荷及び／又は外気温に応じて、前記上流側水冷式冷却器及び／又は前記下流側水冷式冷却器に送る冷却媒体の量を調整するので、冷却媒体供給のランニングコストを抑制しつつ絶縁油を適切な温度に冷却し、さらに絶縁油の保有する熱を汽力発電プラントの運転に有効利用することができる。
【００２２】
また本発明によれば、循環ポンプを常時運転し、変圧器本体内を規定温度以下に維持するので、変圧器の寿命低下を抑制することができる。
【図面の簡単な説明】
【００２３】
【図１】本発明の第１実施形態としての変圧器の構成及び水冷式冷却器へ送る冷却媒体の系統を示す図である。
【図２】本発明の第２実施形態としての変圧器の水冷式冷却器へ送る冷却媒体の系統を示す図である。
【図３】本発明の第３実施形態としての変圧器の構成及び水冷式冷却器へ送る冷却媒体の系統を示す図である。
【発明を実施するための形態】
【００２４】
図１は、本発明の第１実施形態としての変圧器の構成及び水冷式冷却器へ送る冷却媒体の系統を示す図である。変圧器１は、汽力発電プラント内に設置されている。
【００２５】
変圧器１は、油入変圧器であり、変圧器本体２と、絶縁油を冷却する水冷式冷却器３と、油循環ポンプ４を備え、変圧器本体２と水冷式冷却器３との間を絶縁油を循環可能に接続する絶縁油循環ライン５とを備える。
【００２６】
変圧器本体２は、密閉した筐体内に鉄心及び巻線を収納し、鉄心及び巻線は、絶縁油に浸漬した状態で筐体内に収納されている。鉄心及び巻線の損失熱により温度を上昇させた絶縁油は、油循環ポンプ４を介して水冷式冷却器３に送られる。
【００２７】
水冷式冷却器３は、隔壁式熱交換器であり、水冷式冷却器３に送られた絶縁油は、冷却媒体である汽力発電プラントの復水系統１０から送られる復水と熱交換し温度を低下させる。ここで使用可能な水冷式冷却器３は、隔壁式熱交換器であれば、特定の熱交換器に限定されるものではなく、例えば、シェルアンドチューブ形熱交換器、多管式熱交換器を使用することができる。冷却された絶縁油は、絶縁油循環ライン５を通じて変圧器本体２内に返送される。このように変圧器１は、変圧器本体２内の温度の上昇した絶縁油を水冷式冷却器３で冷却後、変圧器本体２内に返送することで、変圧器本体２内の温度上昇を抑制する。
【００２８】
水冷式冷却器３には、汽力発電プラントの復水系統１０の復水が冷却媒体として送られ、絶縁油は復水により冷却される。汽力発電プラントの復水系統１０は、蒸気タービンの排気蒸気を凝縮させ復水にする復水器１１、復水を圧送する復水ポンプ１２、水中の塩類を除去する脱塩装置１３、復水昇圧ポンプ１４、復水昇圧ポンプ１４から送られる復水と軸冷系統の軸冷水とを熱交換させ、軸冷水から熱回収する復水熱交換器１５及びこれらを送水可能に結ぶ管路１６、１７、１８、１９、２０を含み構成される。
【００２９】
復水ポンプ１２と脱塩装置１３とを結ぶ管路１７の途中には、流量調整が可能な三方弁２５が取付けられている。三方弁２５の一方の出口部は、管路２６を通じて水冷式冷却器３の冷却媒体入口部と結ばれ、水冷式冷却器３の冷却媒体出口部は、管路２７を通じて脱塩装置１３の入口部と接続する管路１７につながる。
【００３０】
三方弁２５の制御は、温度調節計７が行う。水冷式冷却器３出口部の絶縁油循環ライン５には、温度調節計７と接続する温度検出器６が装着されており、温度調節計７は、水冷式冷却器３出口部の絶縁油温度が設定温度となるように、三方弁２５を介して水冷式冷却器３に送る復水の量を調整する。
【００３１】
上記のように構成される変圧器１は、絶縁油を冷却する冷却器が水冷式であるので、空冷式冷却器に比較して冷却能力に優れ、絶縁油を十分に冷却することができる。また絶縁油と熱交換し温度を上昇させた復水は、復水系統１０に戻されるので復水の温度が上昇する。この結果、給水加熱器の負荷が低下し、汽力発電プラントの熱効率が上昇する。また水冷式冷却器３への復水の供給を、復水ポンプ１２の出口部から行うので簡単に行うことができる。
【００３２】
上記実施形態は、次のように変更することもできる。上記実施形態では、水冷式冷却器３から排出される戻り復水は、脱塩装置１３の入口部に戻されるが、この戻り復水を復水ポンプ１２の吸込側に戻してもよい。具体的には、水冷式冷却器３の冷却媒体出口部に設けられる管路２７の出口部を管路１６につなぎ、必要に応じて管路２７の途中に背圧弁を設ける。水冷式冷却器３から排出される戻り復水を復水ポンプ１２の吸込側に戻す場合、一部の復水が循環使用されることとなる。一般的に、復水を循環使用する方法は、復水の温度が上昇するので、冷却媒体の供給方法として好ましい方法とは言えない。しかし復水ポンプ１２の吐出量に比べ、水冷式冷却器３に送る復水の量が小さい場合には、殆ど温度上昇がないか、温度上昇してもほんのわずかであるので、冷却媒体として十分に使用することができる。
【００３３】
水冷式冷却器３から排出される戻り復水を脱塩装置１３の入口部に戻す場合、水冷式冷却器３は、復水ポンプ１２の吐出圧に耐える仕様とする必要がある。一方、水冷式冷却器３から排出される戻り復水を復水ポンプ１２の吸込側に戻す場合、水冷式冷却器３の設計圧力を、大幅に低下させることができる。通常、汽力発電プラントに設けられる復水器１１は真空状態で運転されているため復水ポンプ１２の吸込側圧力は低く、復水ポンプ１２の吸込側と連絡する管路２７内の圧力も低くなる。復水ポンプ１２の吐出圧は、通常、１ＭＰａ程度であるので、水冷式冷却器３から排出される戻り復水を復水ポンプ１２の吸込側に戻す方法は、水冷式冷却器３の設計圧力を低下させる点において有用な方法と言える。
【００３４】
図２は、本発明の第２実施形態としての変圧器の水冷式冷却器へ送る冷却媒体の系統を示す図である。第１実施形態に示す変圧器及び冷却媒体の系統と同一の構成には同一の符号を付して説明を省略する。
【００３５】
本実施形態では、水冷式冷却器３には、汽力発電プラントの軸冷系統３０の冷却水が冷却媒体として送られ、絶縁油は軸冷系統３０の冷却水より冷却される。汽力発電プラントの軸冷系統３０は、軸受冷却水ポンプ３１、軸受冷却水冷却器３２及びこれらの間を結び冷却水を循環させる管路を含み、循環路が形成され、冷却水は、循環使用される。
【００３６】
軸受冷却水ポンプ３１から送水された戻り冷却水は、軸受冷却水冷却器３２で温度を低下させた後、管路３３を通じて水素ガスクーラ５１に送られる。水素ガスクーラ５１で水素ガスを冷却し温度を上昇させた戻り冷却水は、管路３４を通じて復水熱交換器１５に送られる。同様に軸受冷却水冷却器３２を出た冷却水は、管路３３に接続する管路３５を通じて給水ポンプ、通風機などのボイラ・タービン補機５２に送られ、軸受部を冷却し温度を上昇させた戻り冷却水は、管路３６を通じて管路３４に合流した後、復水熱交換器１５に送られる。復水熱交換器１５では、復水と戻り冷却水とが熱交換し、復水は温度を上昇させ、戻り冷却水は、熱を奪われ温度を低下させる。復水と熱交換した戻り冷却水は、管路３７を通じて軸受冷却水ポンプ３１に送られる。軸受冷却水冷却器３２には、冷却媒体として海水が使用される。なお、図示を省略したが、軸冷系統３０の冷却水は、水素ガスクーラ５１と同様の要領で、交流励磁器冷却器、固定子冷却水装置、タービン油冷却器、離相母線冷却器を冷却する。
【００３７】
管路３３には、冷却水を水冷式冷却器３に送る管路４１が接続し、管路４１は他端部を水冷式冷却器３の冷却媒体入口部と接続する。水冷式冷却器３の冷却媒体出口部には、冷却水を軸冷系統に戻すための管路４２が接続し、管路４２は、管路３４に接続する。管路４１の途中には、流量調整弁４３が設けられ、流量調整弁４３は、水冷式冷却器３出口部の絶縁油温度を検出する温度検出器６と接続する温度調節計７からの信号により、水冷式冷却器３出口部の絶縁油温度が設定温度となるように冷却水量を調整する。
【００３８】
第２実施形態に示す水冷式冷却器３も第１実施形態の変圧器１と同様に、絶縁油を十分に冷却することができる。軸冷系統３０の冷却水は、年間を通じて３０℃程度に維持されているので、好ましい冷却媒体と言える。絶縁油と熱交換し温度を上昇させた冷却水は、復水熱交換器１５で熱回収されるので復水の温度が上昇し、結果、給水加熱器の負荷が低下し、汽力発電プラントの熱効率が上昇する。
【００３９】
図３は、本発明の第３実施形態としての変圧器の構成及び水冷式冷却器へ送る冷却媒体の系統を示す図である。第１及び第２実施形態に示す変圧器及び冷却媒体の系統と同一の構成には同一の符号を付して説明を省略する。
【００４０】
第３実施形態に示す変圧器８は、水冷式冷却器３ａ、３ｂを２基備え、上流側に配置される水冷式冷却器３ａで冷却された絶縁油をさらに下流側に配置される水冷式冷却器３ｂで冷却可能に２基の水冷式冷却器３ａ、３ｂが、絶縁油循環ライン５に直列に配置されている。この水冷式冷却器３ａ、３ｂは共に隔壁式熱交換器である。上流側に配置される水冷式冷却器３ａには、汽力発電プラントの復水系統１０の復水が冷却媒体として送られ、下流側に配置される水冷式冷却器３ｂには、汽力発電プラントの軸冷系統３０の冷却水が冷却媒体として送られる。
【００４１】
第３実施形態に示す変圧器８は、水冷式冷却器３ａ、３ｂが２基、絶縁油循環ライン５に直列に配置されているので、より効率的に絶縁油を冷却し、さらに熱回収することができる。夏季には、復水の温度は４０℃程度となるので、上流側に配置される水冷式冷却器３ａで絶縁油を５０℃程度まで冷却した後、下流側に配置される水冷式冷却器３ｂで絶縁油を４５℃程度まで冷却させることもできる。冬季では、復水の温度も３０℃程度であるので、上流側に配置される水冷式冷却器３ａにのみ冷却媒体を送るようにしてもよい。温度の異なる冷却媒体を使用し、上流側の水冷式冷却器３ａに温度の高い冷却媒体を供給することで、変圧器８の負荷、季節、外気温によらず効率的に絶縁油を冷却することができる。
【００４２】
上記実施形態で示すように本発明の変圧器１、８は、絶縁油を冷却する水冷式冷却器３、３ａ、３ｂを備えるので、冷却媒体として汽力発電プラントから復水系統１０、軸冷系統３０の冷却水を送ることで、絶縁油を十分に冷却することができる。さらに絶縁油を冷却し温度を上昇させた水を汽力発電プラントの運転に利用することで、変圧器本体２を適正な温度に冷却しつつ絶縁油の保有する熱を汽力発電プラントの運転に有効利用することができる。また油循環ポンプ４を常時運転し、変圧器本体２内を規定温度以下に維持することで、変圧器１、８の寿命低下を抑制することができる。このような変圧器は、容量の大きい主変圧器に好適に使用することができる。
【００４３】
本発明は、上記実施形態に、また先の実施形態で使用された数値に限定されるものではなく、要旨を変更しない範囲で変更し使用することができる。例えば、第１から第３実施形態では、流量を調整する三方弁２５、流量調整弁４３を冷却媒体の入口側に設けているが、出口側に設けてもよい。三方弁２５に代え、流量調整弁を設けてもよい。さらに場合によっては、常時一定量の冷却水を復水系統１０、軸冷系統３０から送るようにして流量調整弁、温度調節計を省略してもよい。また上記実施形態の復水系統１０には、脱塩装置１３、復水昇圧ポンプ１４が設けられていたが、これらを備えない復水系統１０の復水を使用可能なことは言うまでもない。
【符号の説明】
【００４４】
１  変圧器
２  変圧器本体
３、３ａ、３ｂ  水冷式冷却器
４  油循環ポンプ
５  絶縁油循環ライン
８  変圧器
１０  復水系統
１１  復水器
１２  復水ポンプ
１５  復水熱交換器
２５  三方弁
３０  軸冷系統
３１  軸受冷却水ポンプ
３２  軸受冷却水冷却器
５１  水素ガスクーラ
５２  ボイラ・タービン補機
【図１】
0005295203.tif 000002
【図２】
0005295203.tif 000003
【図３】
0005295203.tif 000004